(57)【要約】【課題】指挟みリスクを軽減できるヒンジ装置および建具を提供すること。【解決手段】ヒンジ装置４は、枠側丁番５０および扉側丁番６０を備え、枠側丁番５０および扉側丁番６０は連結軸部８で互いに連結される。扉側丁番６０の扉側羽根板部６２の下横縁６２２は、第一横縁部６２５と、第一横縁部６２５に対して連結軸部８側に位置する第二横縁部６２６とを有する。第一横縁部６２５と枠側丁番５０の枠側羽根板部５２の上横縁５２１との間の寸法ＣＨ２は、第二横縁部６２６と上横縁５２１との間の寸法ＣＨ１よりも大きい寸法とされる。【選択図】図２
2020090846.tif 000002
【特許請求の範囲】
【請求項１】
枠体に取付可能な枠側羽根板部を有した枠側丁番と、扉体に取付可能な扉側羽根板部を有した扉側丁番とを備え、
前記枠側丁番および前記扉側丁番は、前記枠側羽根板部および前記扉側羽根板部の一方の縦縁側に構成された連結軸部で互いに連結され、
前記枠側羽根板部の上横縁および前記扉側羽根板部の下横縁のうち少なくとも一方の横縁は、第一横縁部と、前記第一横縁部に対して前記連結軸部側に位置する第二横縁部とを有し、
前記枠側羽根板部の上横縁および前記扉側羽根板部の下横縁の対向配置状態において、前記第一横縁部と前記枠側羽根板部の上横縁および前記扉側羽根板部の下横縁のうちの他方の横縁との間の寸法は、前記第二横縁部と前記他方の横縁との間の寸法よりも大きい寸法とされる
ことを特徴とするヒンジ装置。
【請求項２】
前記第一横縁部は、前記枠側羽根板部の上横縁および前記扉側羽根板部の下横縁のうちの他方の横縁との対向配置状態で当該他方の横縁との間に指幅寸法以上の寸法を隔てて位置し、
前記第二横縁部および前記他方の横縁の対向配置状態における間隔は、指幅寸法よりも小さい寸法とされる
ことを特徴とするヒンジ装置。
【請求項３】
請求項１または請求項２に記載のヒンジ装置において、
前記第一横縁部および前記第二横縁部は、前記枠側羽根板部の上横縁および前記扉側羽根板部の下横縁のうちの一方の横縁に形成され、前記枠側羽根板部の上横縁および前記扉側羽根板部の下横縁のうちの他方の横縁は前記連結軸部の軸方向に直交する方向に沿って形成されている
ことを特徴とするヒンジ装置。
【請求項４】
請求項１または請求項２に記載のヒンジ装置において、
前記第一横縁部および前記第二横縁部は、前記枠側羽根板部の上横縁および前記扉側羽根板部の下横縁のうちの双方にそれぞれ形成され、前記枠側羽根板部および前記扉側羽根板部の前記第一横縁部同士の間隔寸法が指幅寸法以上の寸法とされている
ことを特徴とするヒンジ装置。
【請求項５】
請求項１または請求項２に記載のヒンジ装置において、
前記枠側羽根板部の上横縁および前記扉側羽根板部の下横縁のうちの少なくとも一方の横縁は、前記連結軸部の軸方向に直交する方向に対して傾斜して形成され、
前記第一横縁部は、前記少なくとも一方の横縁のうち、前記枠側羽根板部の上横縁および前記扉側羽根板部の下横縁のうちの他方の横縁との間に指幅寸法以上の寸法を隔てて位置する領域によって構成され、
前記第二横縁部は、前記少なくとも一方の横縁のうち、前記他方の横縁との間の間隔寸法が指幅寸法よりも小さい寸法とされる領域によって構成されている
ことを特徴とするヒンジ装置。
【請求項６】
枠体と、前記枠体の開口に配置された障子と、前記障子を前記枠体に対して開閉可能に取り付ける請求項１から請求項５のいずれか一項に記載のヒンジ装置とを備える
ことを特徴とする建具。
【発明の詳細な説明】
【技術分野】
【０００１】
本発明は、扉体を開閉可能に支持するヒンジ装置および建具に関する。
【背景技術】
【０００２】
従来、扉が枠体に丁番を介して開閉可能に保持されたドアの吊元側に設置される指詰め防止装置が知られている（特許文献１参照）。
指詰め防止装置は、上下方向に延びて互いに重ね合わされた複数の円弧パネルが吊元側において枠体および扉の間を覆って配置されており、扉の開閉に応じて複数の円弧パネルが互いに円弧方向に移動する構成とされている。このように指詰め防止装置を設置することで、吊元側において枠体および扉の間に指が差し込まれることを防止している。
【先行技術文献】
【特許文献】
【０００３】
【特許文献１】特開２０１０−２１６２２０号公報
【発明の概要】
【発明が解決しようとする課題】
【０００４】
ところで、特許文献１に記載の指詰め防止装置では、枠体および扉の間を覆う上下方向に延びた円弧パネルが外観上目立ってしまう。ここで、指詰め防止装置を取り外せば円弧パネルが目立つことのないシンプルな外観を構成できるが、枠体および扉の間が露出することとなるので、子供などが指を枠体および扉の間に差し込むことが可能となる。この場合、指挟みリスクを軽減することが望まれる。
【０００５】
本発明は、指挟みリスクを軽減できるヒンジ装置および建具を提供することを目的とする。
【課題を解決するための手段】
【０００６】
本発明のヒンジ装置は、枠体に取付可能な枠側羽根板部を有した枠側丁番と、扉体に取付可能な扉側羽根板部を有した扉側丁番とを備え、前記枠側丁番および前記扉側丁番は、前記枠側羽根板部および前記扉側羽根板部の一方の縦縁側に構成された連結軸部で互いに連結され、前記枠側羽根板部の上横縁および前記扉側羽根板部の下横縁のうち少なくとも一方の横縁は、第一横縁部と、前記第一横縁部に対して前記連結軸部側に位置する第二横縁部とを有し、前記枠側羽根板部の上横縁および前記扉側羽根板部の下横縁の対向配置状態において、前記第一横縁部と前記枠側羽根板部の上横縁および前記扉側羽根板部の下横縁のうちの他方の横縁との間の寸法は、前記第二横縁部と前記他方の横縁との間の寸法よりも大きい寸法とされることを特徴とする。
また、本発明の建具は、枠体と、前記枠体の開口に配置された障子と、前記障子を前記枠体に対して開閉可能に取り付ける前述した本発明のヒンジ装置とを備えることを特徴とする。
【発明の効果】
【０００７】
本発明によれば、指挟みリスクを軽減できるヒンジ装置および建具を提供することができる。
【図面の簡単な説明】
【０００８】
【図１】本発明の実施形態に係る玄関ドアを示す外観姿図。
【図２】前記実施形態に係る玄関ドアのヒンジ装置を示す説明図。
【図３】前記実施形態に係る玄関ドアの要部を示す横断面図。
【図４】前記実施形態に係る玄関ドアの動作を示す横断面図。
【図５】本発明の第１変形例におけるヒンジ装置を示す説明図。
【図６】本発明の第２変形例におけるヒンジ装置を示す説明図。
【発明を実施するための形態】
【０００９】
［本実施形態の構成］
以下、本発明の実施形態を図面に基づいて説明する。
図１において、本実施形態に係る建具としての玄関ドア１は、建物に設けられて室内空間（屋内空間）と室外空間（屋外空間）とを仕切る外開き形式の出入り口であって、建物躯体に固定される枠体としてのドア枠２と、ドア枠２の開口に配置された扉体３とを備えており、ドア枠２は、アルミ押出形材によって形成された上枠２１、下枠２２および左右の縦枠２３を枠組みして形成されており、扉体３は、吊元側（図１において右側）において複数のヒンジ装置４を介してドア枠２の縦枠２３に開閉可能に支持されている。
以下の説明において、玄関ドア１の左右方向をＸ軸方向とし、玄関ドア１の上下方向をＹ軸方向とし、玄関ドア１の厚さ方向をＺ軸方向とする。Ｘ，Ｙ，Ｚ軸方向は互いに直交する。
【００１０】
ヒンジ装置４は、旗丁番によって構成されており、ドア枠２に取り付けられる枠側丁番５０と、扉体３に取り付けられる扉側丁番６０とを備えている。
枠側丁番５０は、図２に示すように、Ｙ軸方向に沿った軸部５１と、軸部５１からＹ軸方向に直交する側方に延出した矩形板状の枠側羽根板部５２とを有している。
軸部５１には上端面５１１で開口して形成された圧入穴５３に差込シャフト７０が圧入されており、枠側丁番５０は、差込シャフト７０が圧入されることによって雄型丁番として構成されている。差込シャフト７０は、Ｙ軸方向に延びた円柱本体部７１と、円柱本体部７１のＹ軸方向における中間位置に形成された鍔部７２とを有している。円柱本体部７１のうち鍔部７２に対して下側の部分が圧入穴５３に圧入されている。
枠側羽根板部５２にはビス止め用の四つの取付孔５４が形成されている。枠側羽根板部５２の上横縁５２１および下横縁５２２は軸部５１の上端面５１１および下端面５１２にそれぞれ沿っており、上横縁５２１および下横縁５２２の端部に連続する縦縁５２３，５２４のうちの一方の縦縁５２４に沿って軸部５１が配置されている。
この枠側丁番５０は、枠側羽根板部５２の各取付孔５４にビスが挿通されて吊元側の縦枠２３の枠見込み面部２３１（図３参照）にねじ込まれることによって縦枠２３に取り付けられ、図３に示す閉鎖状態において軸部５１は縦枠２３および扉体３に対して室外側に位置する。
【００１１】
扉側丁番６０は、枠側丁番５０に対して上方に配置されている。扉側丁番６０は、Ｙ軸方向に沿った軸穴部６１と、軸穴部６１からＹ軸方向に直交する側方に延出した矩形板状の扉側羽根板部６２とを有している。
軸穴部６１にはその下端面６１２で開口した軸穴６３がＹ軸方向に沿って形成されることで雌型丁番として構成されている。軸穴６３には差込シャフト７０の円柱本体部７１のうち鍔部７２に対して上側の部分が回動可能に挿入されており、差込シャフト７０が圧入された軸部５１と軸穴部６１とによって枠側丁番５０および扉側丁番６０を互いに連結した連結軸部８が構成される。ここで、鍔部７２の下面は軸部５１の上端面５１１に当接しており、鍔部７２の上面と軸穴部６１の下端面６１２との間にはワッシャー７３が介在されており、鍔部７２およびワッシャー７３を合わせた厚さ寸法によって軸部５１および軸穴部６１間のＹ軸方向における寸法ＣＨ１の隙間が設定される。
扉側羽根板部６２にはビス止め用の四つの取付孔６４が形成されている。扉側羽根板部６２の上横縁６２１および下横縁６２２は、軸穴部６１の上端面６１１および下端面６１２にそれぞれ沿っており、上横縁６２１および下横縁６２２の端部に連続する縦縁６２３，６２４のうちの一方の縦縁６２４に沿って軸穴部６１が配置されている。
この扉側丁番６０は、扉側羽根板部６２の各取付孔６４にビスが挿通されて扉体３の吊元側の扉見込み面部３１（図３参照）にねじ込まれることによって扉体３に取り付けられ、図３に示す閉鎖状態において軸穴部６１は縦枠２３および扉体３に対して室外側に位置する。本実施形態では、扉側羽根板部６２および扉見込み面部３１の間には板状のスペーサ５が介在されている。
ここで、扉側羽根板部６２の下横縁６２２は、縦縁６２３に連続した第一横縁部６２５と、縦縁６２４に連続した第二横縁部６２６と、第一横縁部６２５および第二横縁部６２６に連続した連続縁部６２７とを有している。下横縁６２２が上横縁５２１に上下に対向して配置された図２に示す対向配置状態では、第一横縁部６２５および第二横縁部６２６はそれぞれＺ軸方向に沿っている。第二横縁部６２６は第一横縁部６２５に対して連結軸部８側に位置している。連続縁部６２７は第二横縁部６２６から上方に立ち上げられていると共にＹ軸方向に対して縦縁６２３側に傾斜しており、このため、連続縁部６２７の上端はその下端よりも縦縁６２３側に位置している。
【００１２】
以上のヒンジ装置４では、図２に示す対向配置状態において枠側丁番５０の上横縁５２１および扉側丁番６０の第二横縁部６２６の間に寸法ＣＨ１の間隔が形成され、且つ、上横縁５２１および第一横縁部６２５の間に寸法ＣＨ２の間隔が形成される。寸法ＣＨ２は例えば子供の手指９の指幅寸法Ｗ１以上の寸法に設定され、寸法ＣＨ１は指幅寸法Ｗ１よりも小さい寸法に設定される。本実施形態では、寸法ＣＨ１，ＣＨ２はＡＳＴＭ基準（ＡＳＴＭ：Ａｍｅｒｉｃａ  Ｓｏｃｉｅｔｙ  ｆｏｒ  Ｔｅｓｔｉｎｇ  ａｎｄ  Ｍａｔｅｒｉａｌｓ（米国材料試験協会））に基づいて設定されていてもよい。具体的には、寸法ＣＨ１は５ｍｍ未満に設定され（ＡＳＴＭ  Ｆ  ９６３−０３「８歳未満の子供の指が入らない」）、寸法ＣＨ２は１３ｍｍ以上に設定される（ＡＳＴＭ  Ｆ  ９６３−０３「８歳未満の子供の指を挟み込まない」）。なお、前述したＡＳＴＭ基準では、８歳未満の子供の手指９の指幅寸法Ｗ１を想定しているが、これに限られず、８歳以上の手指９の指幅寸法を本実施形態における指幅寸法Ｗ１としてもよい。この場合でも、寸法ＣＨ２は指幅寸法Ｗ１よりも大きい寸法に設定され、寸法ＣＨ１は指幅寸法Ｗ１よりも小さい寸法に設定される。
第一横縁部６２５の長さ寸法Ｄ１（図２においてＺ軸方向に沿った寸法）と、扉側羽根板部６２の縦縁６２３から扉体３の室内面までのＺ軸方向における寸法Ｄ３（図４参照）とを合わせた合計寸法は、例えば子供の手指９の所定の指長さ寸法Ｌ１以上の寸法に設定され、指長さ寸法を指先から第二間接までの寸法３５ｍｍとして想定した場合には前記合計寸法は３５ｍｍ以上の寸法に設定される。
第二横縁部６２６の長さ寸法Ｄ２は、図４に示すように扉側羽根板部６２の縦縁６２４から扉体３の室外面までの間隔の寸法ＣＷ１よりも長い寸法に設定されており、このため、ヒンジ装置４は軸穴部６１と扉体３の室外面との間から枠側羽根板部５２および扉側羽根板部６２の間に手指９が差し込まれることが阻止される構成となっている。
また、図３に示す閉鎖状態において、縦枠２３の枠見込み面部２３１と扉体３の扉見込み面部３１とのＸ軸方向における間隔を寸法ＣＷ２とした場合、扉側羽根板部６２および枠見込み面部２３１間の間隔は寸法ＣＷ２から枠側羽根板部５２の厚さ寸法を差し引いた寸法ＣＷ３となり、枠側羽根板部５２および扉見込み面部３１間の間隔は寸法ＣＨ２から扉側羽根板部６２およびスペーサ５を合わせた厚さ寸法を差し引いた寸法ＣＷ４となる。
【００１３】
以上に述べた本実施形態に係る玄関ドア１では、扉体３がドア枠２に対して差込シャフト７０の軸心の周りで開閉移動すると、ヒンジ装置４の扉側丁番６０は枠側丁番５０に対して回動し、図４に示すように扉側丁番６０がＲ方向に回動することで扉体３がドア枠２内の開口を閉鎖し、この閉鎖状態でヒンジ装置４は図２および図３に示す状態となる。
ここで例えば、図４に示す状態において、手指９が室内側から枠側丁番５０および扉側丁番６０の間に差し込まれても、枠側羽根板部５２の上横縁５２１と扉側羽根板部６２の第一横縁部６２５の間に指逃げ空間１０（図２参照）が形成されているので、手指９は指逃げ空間１０に逃げ込んで図４に示すように扉見込み面部３１に掛けられた状態となる。このため、扉体３が閉じられてヒンジ装置４が図２および図３に示す状態となっても、手指が枠側羽根板部５２の上横縁５２１と扉側羽根板部６２の下横縁６２２とに挟み込まれ指挟みリスクが軽減される。
また、枠側羽根板部５２および扉側羽根板部６２のうち室外側の外部の露出した部分では、これらの間隔が寸法ＣＨ１と小さいので、室外側から枠側羽根板部５２および扉側羽根板部６２の間に手指９が差し込まれることは阻止される。
【００１４】
[変形例]
前記実施形態では、扉側丁番６０の下横縁６２２が第一横縁部６２５および第二横縁部６２６を有したヒンジ装置４を備えているが、これに限らず、例えば図５に示す第１変形例のように、枠側丁番５０および扉側丁番６０の双方に第一横縁部６２５および第二横縁部６２６が形成されたヒンジ装置４Ｂを備えていてもよい。
ヒンジ装置４Ｂでは、枠側羽根板部５２の上横縁５２１と扉側羽根板部６２の下横縁６２２とが対向して配置された図５に示す対向配置状態で第一横縁部６２５同士および第二横縁部６２６同士が上下に対向して配置されており、第一横縁部６２５間の間隔が寸法ＣＨ２（指幅寸法Ｗ１以上の寸法）とされ、第二横縁部６２６間の間隔が寸法ＣＨ１とされ、第一横縁部６２５間の空間が指逃げ空間１０とされている。また、第一横縁部６２５および第二横縁部６２６に連続した連続縁部６２７はＹ軸方向に沿っている。
なお、ヒンジ装置４Ｂにおける第二横縁部６２６は、枠側羽根板部５２の縦縁５２４および扉側羽根板部６２の縦縁６２４から扉体３の室外面までの間隔の寸法ＣＷ１（図４参照）よりも小さい寸法に設定されているが、このように第二横縁部６２６が形成されていても、枠側羽根板部５２および扉側羽根板部６２のうち室外側に露出する部分におけるこれらの隙間を狭めることができ、その分、室外側から枠側羽根板部５２および扉側羽根板部６２の間に手指９が差し込まれるおそれを低減できる。
【００１５】
また、前述した玄関ドア１は、ヒンジ装置４に代えて、例えば図６に示す第２変形例のように、枠側丁番５０および扉側丁番６０の双方に対して、傾斜した第一横縁部６２５および第二横縁部６２６が形成されたヒンジ装置４Ｃを備えていてもよい。
ヒンジ装置４Ｃにおける枠側羽根板部５２の上横縁５２１は、連結軸部８の軸方向に直交する方向（図６ではＺ軸方向）に対して傾斜しており、上横縁５２１の縦縁５２３側の端部が縦縁５２４側の端部よりも下方に位置している。また、ヒンジ装置４Ｃにおける扉側羽根板部６２の下横縁６２２は、連結軸部８の軸方向に直交する方向（図６ではＺ軸方向）に対して傾斜しており、下横縁６２２の縦縁６２３側の端部が縦縁６２４側の端部よりも上方に位置している。このように上横縁５２１および下横縁６２２が傾斜しているので、図６に示すように枠側羽根板部５２および扉側羽根板部６２が上下に対向して配置された対向配置状態では、枠側羽根板部５２および扉側羽根板部６２間の間隔は連結軸部８側から縦縁５２３，５２４側に向かうに連れて徐々に拡がっている。ここで、第一横縁部６２５は、上横縁５２１および下横縁６２２のうちこれらが指幅寸法Ｗ１以上の寸法を隔てて位置する領域によってそれぞれ構成される。また、第二横縁部６２６は、上横縁５２１および下横縁６２２のうちこれらが指幅寸法Ｗ１よりも小さい寸法とされる領域によってそれぞれ構成される。なお、ヒンジ装置４Ｃでは、第一横縁部６２５および第二横縁部６２６は前述した連続縁部６２７を介さずに互いに連続している。
このヒンジ装置４Ｃにおいても、第一横縁部６２５の間には指逃げ空間１０が形成される一方、第二横縁部６２６の間は狭められるので室外側から手指９を差し込み難い構成となっている。
以上に述べた第２変形例では、枠側羽根板部５２の上横縁５２１と扉側羽根板部６２の下横縁６２２の双方とも、第一横縁部６２５および第二横縁部６２６を有しているが、例えば、上横縁５２１および下横縁６２２のうちのいずれか一方の横縁だけが第一横縁部６２５および第二横縁部６２６を有し、他方の横縁は連結軸部８の軸方向に直交する方向に沿っていてもよい。この場合、連結軸部８の軸方向に直交する方向（図６ではＺ軸方向）に対する前記一方の横縁の傾斜角度は、上横縁５２１および下横縁６２２の双方とも第一横縁部６２５および第二横縁部６２６を有する場合に上横縁５２１および下横縁６２２の傾斜角度よりも大きい角度に設定される。
【００１６】
[本発明のまとめ]
本発明のヒンジ装置は、枠体に取付可能な枠側羽根板部を有した枠側丁番と、扉体に取付可能な扉側羽根板部を有した扉側丁番とを備え、前記枠側丁番および前記扉側丁番は、前記枠側羽根板部および前記扉側羽根板部の一方の縦縁側に構成された連結軸部で互いに連結され、前記枠側羽根板部の上横縁および前記扉側羽根板部の下横縁のうち少なくとも一方の横縁は、第一横縁部と、前記第一横縁部に対して前記連結軸部側に位置する第二横縁部とを有し、前記枠側羽根板部の上横縁および前記扉側羽根板部の下横縁の対向配置状態において、前記第一横縁部と前記枠側羽根板部の上横縁および前記扉側羽根板部の下横縁のうちの他方の横縁との間の寸法は、前記第二横縁部と前記他方の横縁との間の寸法よりも大きい寸法とされることを特徴とする。
本発明のヒンジ装置によれば、枠側羽根板部の上横縁および扉側羽根板部の下横縁のうちの少なくとも一方の横縁における第一横縁部と他方の横縁との間に指逃げ空間が形成可能となるので、例えば扉体の閉鎖移動時に子供などが指を枠側羽根板部および扉側羽根板部の間に差し込んでしまっても、前述した指逃げ空間に指を逃げ込ませることができて、指が枠側羽根板部および扉側羽根板部の間に挟み込まれる指挟みリスクを軽減できる。
また、枠側丁番および扉側丁番を枠体および扉体にそれぞれ取り付けた場合に、枠側羽根板部および扉側羽根板部のうちの連結軸部側寄りの部分が見込み方向において枠体および扉体の間から外部に突出して配置されることがある。このように配置された場合であっても、第二横縁部および他方の横縁の間の寸法が第一横縁部および他方の横縁の間の寸法よりも小さい寸法とされるので、指幅寸法よりも小さい寸法に設定でき、子供などがヒンジ装置のうち外部の露出した部分から枠側羽根板部および扉側羽根板部の間に指を差し込んでしまうおそれを低減できる。
加えて、枠側羽根板部の上横縁および扉側羽根板部の下横縁のうちの少なくとも一方の横縁に対して、前述した第一横縁部よりも他方の横縁から離間させて指逃げ空間を形成するので、例えば枠側羽根板部および扉側羽根板部を連結した連結軸部にカラーなどを設置して当該枠側羽根板部および扉側羽根板部を互いに離間させてこれらの間に指逃げ空間を形成する場合と比べて、カラーを設置する必要がなく、このようなカラーが外観上目立つこともない。
【００１７】
本発明のヒンジ装置では、前記第一横縁部は、前記枠側羽根板部の上横縁および前記扉側羽根板部の下横縁のうちの他方の横縁との対向配置状態で当該他方の横縁との間に指幅寸法以上の寸法を隔てて位置し、前記第二横縁部および前記他方の横縁の対向配置状態における間隔は、指幅寸法よりも小さい寸法とされていてもよい。
このような構成によれば、前述した本発明の作用効果を発揮できる。
【００１８】
本発明のヒンジ装置では、前記第一横縁部および前記第二横縁部は、前記枠側羽根板部の上横縁および前記扉側羽根板部の下横縁のうちの一方の横縁に形成され、前記枠側羽根板部の上横縁および前記扉側羽根板部の下横縁のうちの他方の横縁は前記連結軸部の軸方向に直交する方向に沿って形成されていてもよい。
このような構成によれば、枠側羽根板部および扉側羽根板部のうちの一方の横縁にだけ第一横縁部および第二横縁部を形成すればよく、枠側羽根板部および扉側羽根板部のうちの他方の横縁には特段の切削等の加工を要しないので、枠側羽根板部および扉側羽根板部の間に指逃げ空間を形成するためにこれら双方に加工を要するヒンジ装置と比べて、製造コストを削減できる。
【００１９】
本発明のヒンジ装置では、前記第一横縁部および前記第二横縁部は、前記枠側羽根板部の上横縁および前記扉側羽根板部の下横縁のうちの双方にそれぞれ形成され、前記枠側羽根板部および前記扉側羽根板部の前記第一横縁部同士の間隔寸法が指幅寸法以上の寸法とされていてもよい。
このような構成によれば、枠側羽根板部の第一横縁部および扉側羽根板部の第一横縁部の間に指逃げ空間が形成されるので、前述したように指挟みリスクを軽減できる。
【００２０】
本発明のヒンジ装置では、前記枠側羽根板部の上横縁および前記扉側羽根板部の下横縁のうちの少なくとも一方の横縁は、前記連結軸部の軸方向に直交する方向に対して傾斜して形成され、前記第一横縁部は、前記少なくとも一方の横縁のうち、前記枠側羽根板部の上横縁および前記扉側羽根板部の下横縁のうちの他方の横縁との間に指幅寸法以上の寸法を隔てて位置する領域によって構成され、前記第二横縁部は、前記少なくとも一方の横縁のうち、前記他方の横縁との間の間隔寸法が指幅寸法よりも小さい寸法とされる領域によって構成されていてもよい。
このような構成によれば、枠側羽根板部の上横縁および扉側羽根板部の下横縁のうちの少なくとも一方の横縁を前述したように傾斜して形成することで、前述した第一横縁部および第二横縁部を簡単に形成できる。
また、前記一方の横縁が傾斜することで、連結軸部の軸方向に略直交する方向から枠側羽根板部おおよび扉側羽根板部の間に指が差し込まれる場合だけでなく、前記軸方向に対する斜め方向から指が差し込まれる場合にも、指を枠側羽根板部および扉側羽根板部の間の逃げ空間に配置でき、指挟みリスクを軽減できる。
【００２１】
本発明の建具は、枠体と、前記枠体の開口に配置された障子と、前記障子を前記枠体に対して開閉可能に取り付ける前述した本発明のヒンジ装置とを備えることを特徴とする。
本発明の建具によれば、前述した本発明のヒンジ装置の作用効果と同様の作用効果を発揮可能な建具を構成できる。
【符号の説明】
【００２２】
１…玄関ドア（建具）、１０…指逃げ空間、２…ドア枠（枠体）、２３…縦枠、２３１…枠見込み面部、３…扉体、３１…扉見込み面部、４，４Ｂ，４Ｃ…ヒンジ装置、５０…枠側丁番、５１…軸部、５１１…上端面、５２…枠側羽根板部、５２１…上横縁、５２３，５２４…縦縁、５４，６４…取付孔、６０…扉側丁番、６１…軸穴部、６１２…下端面、６２…扉側羽根板部、６２２…下横縁、６２３，６２４…縦縁、６２５…第一横縁部、６２６…第二横縁部、６２７…連続縁部、８…連結軸部、９…手指、ＣＨ１，ＣＨ２，ＣＷ１〜ＣＷ４，Ｄ１〜Ｄ３…寸法、Ｌ１…指長さ寸法、Ｗ１…指幅寸法。
【図１】
2020090846.tif 000003
【図２】
2020090846.tif 000004
【図３】
2020090846.tif 000005
【図４】
2020090846.tif 000006
【図５】
2020090846.tif 000007
【図６】
2020090846.tif 000008